(57)【要約】【課題】グローブ取付部品の樹脂劣化および強度不足による割れなどの破損が生じた場合の照明器具のグローブが落下するのを防止する。【解決手段】照明器具本体１の下面にランプソケットおよびグローブ取付部品３を取付け、ランプソケットに蛍光灯４を装着するとともに、蛍光灯４を覆うようにグローブ２をグローブ取付部品に装着する。グローブ取付部品３は、樹脂製ツメに溝を設け、この溝に金属製フレームを入れ一体化した組合部品をケースにバネを介してスライド可能に組込んだ構造を有しており、ケースを本体１の外周部に固定したことを特徴とする。グローブ２の取付けおよび取外しは、組合部品を前後に動かして行う。【選択図】　　　図１
2004079319.tif 000002
【特許請求の範囲】
【請求項１】
照明器具本体の下面にランプソケットおよびグローブ取付部品を設け、前記ランプソケットに蛍光灯を装着し、前記グローブ取付部品に前記蛍光灯を覆うようにグローブを装着した照明器具において、前記グローブ取付部品は、樹脂製ツメをバネを介してスライド可能に金属製ケースに装着して構成され、かつ前記樹脂製ツメに金属製フレームを入れて補強されていることを特徴とする照明器具。
【請求項２】
前記樹脂製ツメは、両端部に３角形状の突出部を備える箱状部と、この箱状部の前記突出部とは反対側の側面から直角方向に平行に延びる２枚の板部と、これら板部の中間に直交するように設けられた中間板部とが一体に形成された構造を有していることを特徴とする請求項１記載の照明器具。
【請求項３】
前記樹脂製ツメには溝が形成されており、前記金属製フレームは、前記樹脂製ツメに形成された溝に挿入されて一体に組合されていることを特徴とする請求項１または２記載の照明器具。
【請求項４】
前記金属製フレームは、前記樹脂製ツメの溝に挿入したとき露出しないように前記樹脂製ツメより小さめに作られていることを特徴とする請求項１〜３のいずれかに記載の照明器具。
【請求項５】
前記金属製ケースは、一端側が解放された長方形状の箱体で上部には両側に開いた平板部を持ち、箱体の中間部分には側壁に垂直に中間板が設けられていることを特徴とする請求項１〜４のいずれかに記載の照明器具。
【請求項６】
前記バネは、前記樹脂製ツメの中間板部と前記金属製ケースの中間板との間に装着されていることを特徴とする請求項１〜５のいずれかに記載の照明器具。
【請求項７】
照明器具本体の下面にランプソケットおよびグローブ取付部品を設け、前記ランプソケットに蛍光灯を装着し、前記グローブ取付部品に前記蛍光灯を覆うようにグローブを装着した照明器具において、前記グローブ取付部品は、金属製ツメをバネを介してスライド可能に金属製ケースに装着して構成され、かつ前記金属製ツメの前記グローブが係合される先端部分が樹脂で被覆されていることを特徴とする照明器具。
【発明の詳細な説明】
【０００１】
【発明の属する技術分野】
本発明は、照明器具に関し、特にグローブ取付部品の構造に関する。
【０００２】
【従来の技術】
蛍光灯を用いた照明器具は、図１を参照して説明すると、円形状の本体の下面にランプソケットおよびグローブ取付部品を設け、このランプソケットに蛍光灯を装着し、グローブ取付部品に蛍光灯を覆うようにグローブを取付けた構造を有している。グローブ取付部品は、本体の外周部に対向するように例えば２個設けるか、あるいは本体の外周部に１２０度間隔で３個設ける。
【０００３】
従来のグローブ取付部品には、樹脂製のものと金属製のものが用いられている。樹脂製のグローブ取付部品は、図５の断面図に示すように樹脂製ツメ５１を金属製ケース５４にバネ５３を介してスライド可能に挿入し金属製フタ５５を取付けた構造を有している。また、金属製のグローブ取付部品は、大略図５の樹脂製ツメを金属製ツメで置換えた構造を有している。
【０００４】
【発明が解決しようとする課題】
今までの樹脂製のグローブ取付部品は、経年変化による樹脂劣化および強度不足による割れ等の破損が起こった場合、照明器具のグローブが落下し、照明器具の下に人がいた場合には怪我を負わせる可能性があった。また、金属製のグローブ取付部品は、グローブに直接金属が接触するためグローブに傷がつき割れが発生する危険性があった。
【０００５】
本発明の目的は、従来の樹脂製グローブ取付部品および金属製グローブ取付部品の有する欠点を除去して、グローブの落下の危険がなく、またグローブに傷がつき割れが発生する危険性のない照明器具を提供することである。
【０００６】
【課題を解決するための手段】
本発明によれば、照明器具本体の下面にランプソケットおよびグローブ取付部品を設け、前記ランプソケットに蛍光灯を装着し、前記グローブ取付部品に前記蛍光灯を覆うようにグローブを装着した照明器具において、前記グローブ取付部品は、樹脂製ツメをバネを介してスライド可能に金属製ケースに装着して構成され、かつ前記樹脂製ツメに金属製フレームを入れて補強されていることを特徴とする。前記樹脂製ツメは、両端部に３角形状の突出部を備える箱状部と、この箱状部の前記突出部とは反対側の側面から直角方向に平行に延びる２枚の板部と、これら板部の中間に直交するように設けられた中間板部とが一体に形成された構造を有している。前記樹脂製ツメには溝が形成されており、前記金属製フレームは、前記樹脂製ツメに形成された溝に挿入されて一体に組合されている。前記金属製フレームは、前記樹脂製ツメの溝に挿入したとき露出しないように前記樹脂製ツメより小さめに作られている。前記金属製ケースは、一端側が解放された長方形状の箱体で上部には両側に開いた平板部を持ち、箱体の中間部分には側壁に垂直に中間板が設けられている。前記バネは、前記樹脂製ツメの中間板部と前記金属製ケースの中間板との間に装着されている。
【０００７】
また、本発明によれば、照明器具本体の下面にランプソケットおよびグローブ取付部品を設け、前記ランプソケットに蛍光灯を装着し、前記グローブ取付部品に前記蛍光灯を覆うようにグローブを装着した照明器具において、前記グローブ取付部品は、金属製ツメをバネを介してスライド可能に金属製ケースに装着して構成され、かつ前記金属製ツメの前記グローブが係合される先端部分が樹脂で被覆されている照明器具が得られる。
【０００８】
【発明の実施の形態】
次に本発明について図面を参照して詳細に説明する。図１は、本発明の第１の実施形態を示す斜視図である。本実施形態の照明器具は、円形状の本体１の下面にランプソケット（図示しない）およびグローブ取付部品３を設け、ランプソケットに蛍光灯４を装着し、グローブ取付部品３に蛍光灯４を覆うようにグローブ２を装着した構造を有する。このグローブ取付部品３は、本体１の外周に例えば相対向するように２個設けたり、ありいは１２０度間隔で３個設けられている。本実施形態の特徴は、グローブ取付部品３が樹脂製ツメに金属製フレームを入れて補強されている点である。
【０００９】
図２は、本発明に係るグローブ取付部品３の分解斜視図であり、図３は組立てた状態のグローブ取付部品の断面図である。図２に示すようにグローブ取付部品は、樹脂製ツメ１１、金属製フレーム１２、バネ１３、金属製ケース１４および金属製フタ１５から構成されている。樹脂製ツメ１１は、両端部に３角形状の突出部１１ｅを備える箱状部１１ａと、この箱状部１１ａの突出部１１ｅとは反対側の側面から直角方向に平行に延びる２枚の板部１１ｂと、これら板部１１ｂの中間に直交するように設けられた中間板部１１ｃとが一体に形成された構造を有している。
【００１０】
この樹脂製ツメ１１には、図２に示すように下端部まで達しない溝１１ｄが形成されている。この樹脂製ツメ１１の溝１１ｄに、図示したような形状の金属製フレーム１２が挿入され一体に組合わされている。金属製フレーム１２は、図面に示したようにコの字形の部分と両側に開くように折り曲げられた先端部に前述した樹脂製ツメ１１の３角形の突出部１１ｅに相似な形状の突出部が形成された形状を有している。金属製フレーム１２は、樹脂製ツメ１１の外形より少し小さく作られており、樹脂製ツメ１１と金属製フレーム１２とを組合わせた部品においては、外端部は樹脂になっており金属製フレームが組合わせ部品の外側に剥き出しにはなっていない。
【００１１】
この金属製フレーム１２と樹脂製ツメ１１との組合部品は、バネ１３を介してスライド可能に金属製ケース１４に装着される。ケース１４は、図示のように一端側が解放された長方形状の箱体で上部には両側に開いた平板部１４ｃを持ち、箱体の中間部分には側壁１４ｂに垂直に中間板１４ｄが設けられている。ケース１４の側壁１４ｂと中間板１４ｄの間は隙間になっており、この隙間に樹脂製ツメ１１の板部１１ｂと金属製フレーム１２の側部１２ｂが挿入される。
【００１２】
ケース１４の中間板１４ｄと挿入された樹脂製ツメ１１の中間板部１１ｃの間にバネ１３が装着される。ケース１４の背面壁１４ａと、樹脂製ツメ１１および金属製フレーム１２の組合せ部品の背端面１２ｃとの間は空間部となっており、樹脂製ツメ１１金属製フレーム１２との組合せ部品がケース１４に対しバネ１３の伸縮で前後にスライド可能に構成されている。最後に金属製フタ１５を取付けてグローブ取付部品は完成する。図３は組立てが完了したグローブ取付部品３を示す断面図である。このグローブ取付部品３は、本体１の下面側に取付けられる。
【００１３】
次に本実施形態におけるグローブの取付けおよび取外しの動作について説明する。グローブ取付部品３は、そのケース１４を本体１に例えば図１に示すようにネジなどを用いて取付け固定されている。樹脂製ツメ１１と金属製フレーム１２との組合せ部品を、例えば図３において右側方向に押圧するとバネ１３が縮み、グローブ取付部品３が短縮される。押圧するのを止めると、バネの弾性力でもとに戻る。グローブ２を本体１の下側から上方に押し上げると、グローブ２の外周部が樹脂製ツメ１１の突出部１１ｅの斜面部１１ｆに接触して押圧し、その時発生する水平方向の分力によってバネ１３が縮み、グローブ２の外周部が突出部１１ｅの上面を通るとバネ１３がその弾性で伸びグローブが係合される。グローブを取外す時は、この動作を逆に行えばよい。このようにしてグローブの取付・取外しが可能となる。
【００１４】
以上のように、本発明の第１の実施形態では、照明器具のグローブ取付部品の樹脂製ツメに金属製フレームを入れて補強し、かつ金属製フレームは金属製ケースと組合っているので、樹脂製ツメが劣化し破損した時でも、金属製フレームがケースに引っ掛かり、グローブを保持しグローブの落下を防止することができるという効果を有する。さらにグローブが係合される部分には、金属製フレームが露出していないのでグローブに傷を付ける危険性もない。
【００１５】
つぎに本発明の第２の実施形態について説明する。図４は、本発明の第２の実施形態のグローブ取付部品を示す断面図である。照明器具のその他の部分は、図１に示した第１の実施形態と同じである。従来より金属製のグローブ取付部品が知られているが、本実施形態の特徴は、金属製のグローブ取付部品のグローブと係合され接触する先端部分に樹脂を被覆した点にある。図４に示すようにツメの部分が金属製ツメ４１で形成され、バネ４３を介して金属製ケース４４にスライド可能に装着される。金属製ツメ４１の先端部分は樹脂４２で被覆されている。樹脂の被覆方法は、例えば先端部分に所望の形に成形された樹脂部材を被せてもよいし、また先端部分に樹脂膜を形成してもよい。このようにして形成されたグローブ取り付け部品は、図１に示したように照明器具本体に取り付けられる。
【００１６】
本実施形態は、金属製のグローブ取付部品のグローブが係合される先端部分に樹脂を被覆した構造を有しているので、グローブが金属製ツメに直接接触することがなく、グローブに傷を付ける危険性がなく、またツメの部分が金属で形成されているので強度が十分あり、グローブが落下する危険性を防止できるという効果がある。
【００１７】
【発明の効果】
以上詳細に説明したように、本発明では樹脂製のグローブ取付部品の樹脂製ツメ部分に金属製フレームを入れて補強したので、樹脂製のグローブ取付部品が破損した場合のグローブの落下を防止できる。したがって、照明器具の下に人がいる際にグローブ取付部品が破損した場合、通常であればグローブが落下し、怪我を負わせる可能性があるが、本照明器具は、金属製のフレームによりグローブが器具本体に保持されるため、人に怪我を負わせる危険性が解消される。
【００１８】
また、本発明は、金属製のグローブ取付部品の金属製ツメの先端部のグローブが係合する部分に樹脂を被覆したので、グローブに傷が付くのを防止できるという効果がある。
【図面の簡単な説明】
【図１】本発明の第１の実施形態である照明器具を示す斜視図である。
【図２】本発明に用いるグローブ取付部品の分解斜視図である。
【図３】本発明に用いるグローブ取付部品の断面図である。
【図４】本発明の第２の実施形態であるグローブ取付部品部分を示す断面図である。
【図５】従来の樹脂製のグローブ取付部品を示す断面図である。
【符号の説明】
１　　本体
２　　グローブ
３　　グローブ取付部品
４　　蛍光灯
１１、５１　　樹脂製ツメ
１２　　金属製フレーム
１３、４３、５３　　バネ
１４、４４　　金属製ケース
１５、４５　　金属製フタ
４１　　金属製ツメ
４２　　樹脂
【図１】
2004079319.tif 000003
【図２】
2004079319.tif 000004
【図３】
2004079319.tif 000005
【図４】
2004079319.tif 000006
【図５】
2004079319.tif 000007